(57)【要約】【課題】  磁石による不正行為のみならず、磁気センサー部と磁気検知回路部の接続が遮断されることによる不正行為に対しても有効な遊技機の不正磁石検知センサーを提供する。【解決手段】  磁気検知用リードスイッチ３と、磁気検知回路部２Ａと、磁気検知用リードスイッチ３が遊技機に接近した磁石を検知したとき点灯するＬＥＤ警報表示器４Ａとからなる遊技機の磁気検知センサー１において、磁気検知回路部２Ａにコンパレーター回路を用いた接続確認回路部２Ｂを付設する。この接続確認回路２Ｂを介して、通常は点灯し続け、磁気検知用リードスイッチ３と磁気検知回路部２との接続が断たれると消灯する表示灯としてのＬＥＤ警報表示器４Ｂを設ける。【選択図】  図２
2005137877.tif 000002
【特許請求の範囲】
【請求項１】
磁気センサーと、磁気検知回路部と、遊技機に接近した磁石を検知したとき警報を発生させる警報器とからなる遊技機の不正磁気検知センサーにおいて、前記磁気センサーと磁気検知回路部との接続状態を報知する報知器を有する接続確認回路部を設けたことを特徴とする遊技機の不正磁気検知センサー。
【請求項２】
報知器が、通常は点灯し続け、磁気センサーと磁気検知回路部との接続が断たれると消灯する表示灯であることを特徴とする請求項１記載の遊技機の不正磁気検知センサー。
【請求項３】
報知器が、磁気センサーと磁気検知回路部との接続が断たれると警報を発する音声出力器であることを特徴とする請求項１記載の遊技機の不正磁気検知センサー。
【請求項４】
接続確認回路部が、磁気検知回路部の基準電圧の変化を比較して磁気センサー部の断線を検知するコンパレーター回路であることを特徴とする請求項１記載の遊技機の不正磁気検知センサー。
【発明の詳細な説明】
【技術分野】
【０００１】
本発明は、パチンコ機等の遊技機に対する磁石による不正行為を検知して警報を発する不正磁気検知センサーに関するものである。
【背景技術】
【０００２】
近年、パチンコ機等の遊技機に対して電波や磁石を用いて出玉を搾取する不正行為により、同業界全体における被害額は年間数百億円に上るとも言われている。このような不正行為を検知する従来の装置として、不正電波や不正磁力を検知するセンサー装置が種々開発され実用化されている（例えば、特許文献１参照）。
【０００３】
また、磁石による不正行為の防止についてのみ考慮するのであれば、既存のフォトカプラ式の磁気センサーを使用することでも十分に対応することができる。そこで、本出願人は先に、フォトカプラ式磁気センサーと、磁気検知回路と、不正な磁気を検知した際に警報を発生する警報器とからなり、取付け、交換を容易に行なうことができる不正磁気検知センサーを提案している（特許文献２参照。）。
【０００４】
【特許文献１】特開２００２−２８２５０５号公報
【特許文献２】実用新案登録第３９５０９９号公報
【発明の開示】
【発明が解決しようとする課題】
【０００５】
しかしながら、従来装置は、遊技者による不正行為に対しては有効であるものの、遊技場の従業員等によって行われる不正行為に対しての対応策が図られていなかった。例えば、磁気センサー部と磁気検知回路部の接続が故意に遮断されると不正磁石検知センサーは作動せず、また、接続が断たれたこと自体を認識することができなかった。
【課題を解決するための手段】
【０００６】
このため本発明では、磁気センサーと、磁気検知回路部と、遊技機に接近した磁気を検知したとき警報を発生させる警報器とからなる遊技機の不正磁気検知センサーにおいて、前記磁気センサーと磁気検知回路部との接続状態を報知する報知器を有する接続確認回路部を設けたことを第１の特徴とする。この場合、報知器が、通常は点灯し続け、磁気センサーと磁気検知回路部との接続が断たれると消灯する表示灯であることを第２の特徴とする。さらに、報知器が、磁気センサーと磁気検知回路部との接続が断たれると警報を発する音声出力器であることを第３の特徴とする。さらにまた、接続確認回路部が、磁気検知回路部の基準電圧の変化を比較して磁気センサー部の断線を検知するコンパレーター回路であることを第４の特徴とする。
【発明の効果】
【０００７】
本発明は、遊技機への磁石による不正行為を確実且つ速やかに発見することができるばかりでなく、磁気センサー部と磁気検知回路部の接続が遮断されることによる不正行為に対しても有効である。
【発明を実施するための最良の形態】
【０００８】
次に、本発明の実施の形態を図面に示す実施例に基づいて説明する。本発明の不正磁気検知センサーは、磁気検知回路部と磁気検知センサーとから個別に構成されるか、又は、磁気検知センサーを磁気検知回路部を有する遊技機本体の回路基盤に接続するものとする。
図１は本発明に係る不正磁気検知センサーの一実施例を示す斜視図、図２及び図３は本発明に係る不正磁気センサーの電気回路図、図４（ａ）は２線式の磁気検知用リードスイッチ（ｂ）は３線式の磁気検知用リードスイッチを示す要部拡大図、図５は従来装置の回路図、図６は磁気検知用リードスイッチの取付位置を示す（ａ）は正面図、（ｂ）は要部断面図、図７は本発明に係る不正磁気検知センサーの他の実施例を示す斜視図、図８は図７の不正磁気検知センサーの取付位置を示す遊技機の正面図である。
【実施例】
【０００９】
図１に示すように、本発明に係る不正磁気検知センサー１は、プリント基板５に配設された磁気検知回路部２Ａ及び接続確認回路部２Ｂと、図４に示すような、ガラス管３ａ内に不活性ガスと共に、一対のリード３ｂを封入して配した磁気検知用リードスイッチ３と、同じくプリント基板５に接続された二つのＬＥＤ警報表示器４Ａ及びＬＥＤ報知表示器４Ｂと、電気回路や電気的装置を作動させるための電源への接続端子６とから構成されている。
【００１０】
すなわち、プリント基板５には磁気検知回路部２Ａ並びに接続確認回路部２Ｂとしての電気回路が設けられ、電気回路や電気的装置を作動させるための電源への接続端子６と、不正磁気を検知したときに点灯するＬＥＤ警報表示器４Ａへの接続端子と、磁気検知用リードスイッチ３との接続コネクター５ａと、ＬＥＤ警報表示器４Ａ及びＬＥＤ報知表示器４Ｂの作動を解除するリセットスイッチ７が設けられている。ここで、磁気検知用リードスイッチ３は感動値が１０〜４０程度のものを使用するのが好ましく、感動値が４０を越えるものでは十分な磁気検出効果が得られないおそれがある。
【００１１】
図５に従来装置の電気回路図を示すが、磁気センサー部である磁気検知用リードスイッチ３と磁気検知回路部２Ａの接続が故意に遮断されると、ＬＥＤ警報表示器４Ａは消灯したままとなり、磁気センサー３と磁気検知回路部２との接続状態が遮断されたこと自体が認識できない。そこで、本発明では、図２又は図３に示すような、コンパレーター回路を用いた接続確認回路部２Ｂを設けた。すなわち、この接続確認回路２Ｂを介して、通常は点灯し続け、磁気検知用リードスイッチ３と磁気検知回路部２との接続が断たれると消灯する表示灯としてのＬＥＤ警報表示器４Ｂを設けるようにした。この場合、例えば、不正磁気を検知したときに点灯するＬＥＤ警報表示器４Ａを赤色、接続確認用のＬＥＤ警報表示器４Ｂを緑色等に色分けすると視認効果を高めることができる。
【００１２】
図２に、２線式のリードスイッチ３を用いた場合の磁気センサー部及び磁気検知回路部２Ａ並びに接続確認回路部２Ｂの回路構成を示す。リードスイッチ３のリード線Ｌ１にコンパレーター（ＩＣ）Ｃ１を接続して設け、センサー部であるリードスイッチ３に磁力が近接すると、リードスイッチ３が閉じることで、磁気検出信号の基準電圧が｛Ｒ１／（Ｒ１＋Ｒ２）｝Ｖ１から０に変化する。この変化で磁力の有無を検知する。一方、リード線Ｌ１が断線すると、リードスイッチ３の開閉状態に関わらず磁気検出信号の電圧がＶ１に固定される。このときコンパレーターＣ１の出力がハイインピーダンス状態からローになり、断線検出信号の電圧がＶ１から０に変化する。この変化でリード線Ｌ１の断線を検知する。同様にリード線Ｌ２が断線した場合も、コンパレーターＣ１の出力がハイインピーダンス状態からローになり、断線検出信号の電圧がＶ１から０に変化する。この変化でリード線Ｌ２の断線を検知する。以上の動作を可能とするために、抵抗Ｒ１、Ｒ２、Ｒ３、Ｒ４は、｛Ｒ２／（Ｒ１＋Ｒ２）｝＜｛Ｒ４（Ｒ３＋Ｒ４）｝となるような任意の定数を選定するＲ５はプルアップ抵抗であり、定数は任意である。
【００１３】
図３は、３線式のリードスイッチ３を用いた場合の磁気センサー部及び磁気検知回路部２Ａ並びに接続確認回路部２Ｂの回路構成を示すものである。リードスイッチ３のリード線Ｌ１及びＬ２にコンパレーター（ＩＣ）Ｃ１及びコンパレーター（ＩＣ）Ｃ２を接続して設け、センサー部であるリードスイッチ３に磁力が存在すると、リードスイッチ３が閉じることで、磁気検出信号の基準電圧が｛Ｒ１／（Ｒ１＋Ｒ２）｝Ｖ１から０に変化する。この変化で磁力の有無を検知する。リード線Ｌ１が断線すると、リードスイッチ３の開閉状態に関わらず磁気検出信号の電圧がＶ１に固定される。このときコンパレーターＣ１の出力がハイインピーダンス状態からローになり、断線検出信号の電圧がＶ１から０に変化する。この変化でリード線Ｌ１の断線を検知する。リード線Ｌ２が断線した場合、コンパレーターＣ２の出力がハイインピーダンス状態からローになり、断線検出信号の電圧がＶ１から０に変化する。この変化でリード線Ｌ２の断線を検知する。リード線Ｌ３が断線すると、コンパレーターＣ１及びコンパレーターＣ２の出力がともにハイインピーダンス状態からローになり、断線検出信号の電圧がＶ１から０に変化する。この変化でリード線Ｌ３の断線を検知する。以上の動作を可能とするために、抵抗Ｒ１、Ｒ２、Ｒ４、Ｒ５は｛Ｒ２／（Ｒ１＋Ｒ２）｝＜｛Ｒ５（Ｒ４＋Ｒ５）｝となるような任意の定数を選定するＲ３及びＲ６はプルアップ抵抗であり、定数は任意である。
【００１４】
遊技機Ｐへの磁気検知用リードスイッチ３の取付け位置は任意であるが、検知効果の高い場所としては、図６に示すように、遊技機盤面の役物１１の中や、遊技機の合板製セル板の裏側の裏パック１４と称されるプラスチック製のパチンコ玉排出ガイドや、このセル板１５内側に嵌合溝１５ａを設け埋設したり、裏パック１４の任意の凹所に内側面から貼付けるようにする。この場合、嵌合溝１５ａの形成位置及びセンサー貼付け凹所は、パチンコ玉入賞口１２近傍であるのが望ましい。図中、１３は前面ガラス板、Ｍは磁石である。
【００１５】
また、図７及び図８に示すように、通常、遊技機Ｐのセル盤の前面にはセル盤保護用の二層ガラス板９が設けられており、この前面ガラス板９ａと背面ガラス板９ｂとの間には約９ｍｍ程度の間隙１０がある。そこで、不正磁気検知センサー１を、この間隙１０に挿入可能な平板状やカード型に形成して挿入設置するものでも良い。この場合、プリント基板５から側方に延出して長尺の枠板８を一体的に設け、磁気検知用リードスイッチ３を遊技機Ｐに対して横方向に複数個配置することで、磁気検知領域を拡大することができる。
【００１６】
また、ＬＥＤ警報表示器４Ａ及びＬＥＤ報知表示器４Ｂの取付位置としては、遊技機Ｐの盤面上に適宜取付け可能であるが、装飾ランプの一部として取付けておけば、遊技者の視界を邪魔することもなく、遊技に支障をきたすことはない。
【産業上の利用可能性】
【００１７】
尚、本発明の要旨は、磁気センサー部と検知回路部との接続状態を報知する報知器を有する接続確認用回路部を設けた点にあり、検知対象が不正磁気のみならず、違法電波に対する検知センサー回路に適用しても有効なことはいうまでもない。また、報知器としては表示灯のみならず、例えば、磁気センサー部と検知回路部との接続状態が遮断されると警報を発する音声出力器を使用するものでも良く報知手段は任意である。
【図面の簡単な説明】
【００１８】
【図１】本発明に係る不正磁気検知センサーの一実施例を示す斜視図である。
【図２】本発明に係る不正磁気センサーの電気回路図である。
【図３】本発明に係る不正磁気センサーの電気回路図である。
【図４】（ａ）は２線式の磁気検知用リードスイッチ（ｂ）は３線式の磁気検知用リードスイッチを示す要部拡大図である。
【図５】従来装置の回路図である。
【図６】磁気検知用リードスイッチの取付位置を示す（ａ）は正面図、（ｂ）は要部断面図である。
【図７】本発明に係る不正磁気検知センサーの他の実施例を示す斜視図である。
【図８】図７の不正磁気検知センサーの取付位置を示す遊技機の正面図である。
【符号の説明】
【００１９】
１    磁気検知センサー
２Ａ  磁気検知回路部
２Ｂ  接続確認回路部
３    磁気検知用リードスイッチ（磁気センサー部）
４Ａ  ＬＥＤ警報表示器
４Ｂ  ＬＥＤ報知表示器
５    プリント基板
６    電源端子又は電源
７    リセットスイッチ
８    枠板
９    二層ガラス板
１０  二層ガラス板の間隙
１１  役物
１２  入賞口
１３  前面ガラス板
１４  裏パック
１５  セル板
１５ａ嵌合溝
Ｐ    遊技機
Ｃ１  コンパレーター（ＩＣ）
Ｃ２  コンパレーター（ＩＣ）
Ｌ１  リード線
Ｌ２  リード線
Ｌ３  リード線
Ｍ    磁石
【図１】
2005137877.tif 000003
【図２】
2005137877.tif 000004
【図３】
2005137877.tif 000005
【図４】
2005137877.tif 000006
【図５】
2005137877.tif 000007
【図６】
2005137877.tif 000008
【図７】
2005137877.tif 000009
【図８】
2005137877.tif 000010